(57)【要約】【課題】  複数歌手により構成されたグループ歌手が原曲を歌唱しているカラオケ楽曲を、当該グループ歌手の構成人数以上の利用者が歌唱する際に、客観的にみて最適な組合せとなるように各歌唱者の歌唱パートを決定する。【解決手段】  各利用者の歌唱音声の音質及び歌唱特性の少なくとも一方と、原曲を歌唱しているグループ歌手の歌唱音声の音質及び歌唱特性の少なくとも一方との類似度を、原曲を歌唱している歌手毎に点数化して採点する類似度採点手段４７と、各利用者の類似度採点値に基づいて、各歌手の歌唱パートをいずれの利用者が歌唱すべきかを決定する歌唱パート決定手段４８とを備える。【選択図】図１
2015045671.tif 000002
【特許請求の範囲】
【請求項１】
複数歌手により構成されたグループ歌手が原曲を歌唱しているカラオケ楽曲を、当該グループ歌手の構成人数以上の利用者で歌唱する際に、各利用者が歌唱すべき歌唱パートを決定する歌唱パート決定システムであって、
前記各利用者の歌唱音声の音質及び歌唱特性の少なくとも一方と、前記原曲を歌唱しているグループ歌手の歌唱音声の音質及び歌唱特性の少なくとも一方との類似度を、前記原曲を歌唱している歌手毎に点数化して採点する類似度採点手段と、
前記各利用者の類似度採点値に基づいて、前記各歌手の歌唱パートをいずれの利用者が歌唱すべきかを決定する歌唱パート決定手段と、
を備えたことを特徴とする歌唱パート決定システム。
【請求項２】
前記歌唱パート決定手段は、一つの歌唱パートに一人の利用者を割り当てる全ての組合せについて、各組合せに含まれる利用者の前記類似度採点値を合計し、全ての組合せの中から前記類似度採点値の合計値が最も高い組合せを選択して、前記各歌手の歌唱パートをいずれの利用者が歌唱すべきかを決定する、
ことを特徴とする請求項１に記載の歌唱パート決定システム。
【請求項３】
前記歌唱パート決定手段は、前記類似度採点値が高い順に、前記各歌手の歌唱パートを歌唱すべき利用者を決定し、次いで、当該決定した歌唱パート及び利用者を除いて、前記類似度採点値が高い順に、前記各歌手の歌唱パートをいずれの利用者が歌唱すべきかを順次決定する、
ことを特徴とする請求項１に記載の歌唱パート決定システム。
【請求項４】
前記グループ歌手の集団毎に、グループ歌手を構成する各歌手の歌唱音声の音質及び歌唱特性の少なくとも一方を記憶した特性データベースを備え、
前記類似度採点手段は、前記特性データベースに基づいて、前記各利用者の歌唱音声の音質及び歌唱特性の少なくとも一方と、前記原曲を歌唱しているグループ歌手の歌唱音声の音質及び歌唱特性の少なくとも一方との類似度を、前記原曲を歌唱している歌手毎に点数化して採点する、
ことを特徴とする請求項１〜３のいずれか１項に記載の歌唱パート決定システム。
【請求項５】
前記グループ歌手の集団毎に、グループ歌手を構成する各歌手の顔画像データを記憶した顔画像データベースと、
前記各利用者の顔画像データを取得する顔画像データ取得手段と、を備え、
前記類似度採点手段は、前記顔画像データベースに基づいて、前記取得した各利用者の顔画像データと、前記原曲を歌唱しているグループ歌手の顔画像データの類似度を比較して、各利用者の類似度採点値を採点する際に、前記顔画像の類似度に基づく重み付けを行う、
ことを特徴とする請求項１〜４のいずれか１項に記載の歌唱パート決定システム。
【発明の詳細な説明】
【技術分野】
【０００１】
本発明は、複数歌手により構成されたグループ歌手が原曲を歌唱しているカラオケ楽曲を、当該グループ歌手の構成人数以上の利用者が歌唱する際に、所定の条件に基づいて、各利用者が歌唱すべき歌唱パートを決定するためのシステムに関するものである。
【背景技術】
【０００２】
複数歌手により構成されたグループ歌手が、それぞれ異なる歌唱パートを歌唱する楽曲が多数存在する。このようなカラオケを複数の利用者で歌唱する際に、原曲を歌唱している各歌手の歌唱パートをどの利用者が歌唱すべきかを決定するのもカラオケ歌唱の楽しさの一つである。例えば、グループ歌手を構成する各歌手が歌唱する歌唱パートは、各歌手の歌唱音声の音質等に応じて最適なものとなるように決定されており、カラオケ楽曲の歌唱においても、同様に、各利用者の歌唱音声の音質等に応じて最適な歌唱パートを決定することが好ましい。なお、歌唱音声の音質とは、いわゆる声質のことである。
【０００３】
従来、グループ歌手がそれぞれ異なるパートを歌唱する楽曲を、複数の利用者が歌唱する際に、利用者の性別に応じてデュエット曲の歌唱パートを割り当てたり、利用者の声域や音量に応じて合唱曲の歌唱パートを割り当てたりしている。
【０００４】
また、歌唱者の歌唱音声の音質等や歌唱特性を分析して、歌唱に適した楽曲リストを提示する技術（特許文献１）や、歌唱音声の音質等が原曲を歌唱している歌手に類似しているか否かを採点基準とする技術（特許文献２）等が知られている。
【０００５】
特許文献１に記載された技術は、利用者の歌唱音声の音質に基づき、当該利用者の歌唱音声の音質に類似した歌手を推薦するための技術である。この選曲歌手分析推薦装置は、通常の会話に係る音声の発声者を特徴付ける第一の音声特徴素を発声者別に格納した音響モデル辞書と、歌唱時の音声に係る発声者を特徴付ける第二の音声特徴素を、発声者別に格納した歌唱モデル辞書とを備えている。
【０００６】
そして、音響モデル検索部により、デジタル化された音声データを、音響モデル辞書に格納されている第一の音声特徴素と比較分析し、音声データと類似する第一の音声特徴素の発声者を抽出する。また、歌唱モデル検索部により、デジタル化された音声データを、歌唱モデル辞書に格納されている第二の音声特徴素と比較分析し、音声データと類似する第二の音声特徴素の発声者を抽出する。これらの抽出結果に基づいて、音声データに類似する音声の発声者をリストアップするようになっている。
【０００７】
特許文献２に記載された技術は、歌唱者が物真似で歌った場合に、当該物真似を評価するための技術である。このカラオケ歌唱評価装置は、歌唱者の歌唱に基づく歌声音声信号から歌唱基準信号を作成して信号比較部に出力し、信号比較部では、歌唱基準信号とマイクロホンから入力された歌唱者の歌唱音声信号との比較信号を出力する。そして、採点部により、カラオケ歌唱の採点を行う。この際、歌唱基準信号として、原曲歌手が実際に歌唱している歌唱音声に基づいて作成した歌唱音声信号を使用することにより、物真似に対する評価を歌唱採点値に加味することができる。
【先行技術文献】
【特許文献】
【０００８】
【特許文献１】特開２００９−２１０７９０号公報
【特許文献２】特開２０００−１３２１７６号公報
【発明の概要】
【発明が解決しようとする課題】
【０００９】
上述したように、グループ歌手が異なる歌唱パートを歌唱するカラオケを複数の利用者で歌唱する際に、原曲のグループ歌手の歌唱パートを誰が歌唱するかにより、カラオケ歌唱の楽しさを高めることができる。すなわち、原曲の各グループ歌手の歌唱音声の音質や歌唱特性等と、各歌唱者の歌唱音声の音質や歌唱特性等とが近似していれば、原曲のグループ歌唱による歌唱に近いものとなり、カラオケ歌唱の楽しさを十分に堪能することができる。一方、原曲の各グループ歌手の歌唱音声の音質や歌唱特性等と、各歌唱者の歌唱音声の音質や歌唱特性等とがかけ離れていると、歌唱者及び視聴者共に違和感を覚え、カラオケ歌唱の楽しさが低減してしまう。
【００１０】
なお、歌唱特性とは、発声者の音声の音量、その音声の周波数成分及びその音声の発話速度、発声者の音声のしゃくり、ビブラート、抑揚、音域及び発話時間等の特性のことをいう。
【００１１】
本発明は、上述した事情に鑑み提案されたもので、複数歌手により構成されたグループ歌手が原曲を歌唱しているカラオケ楽曲を、当該グループ歌手の構成人数以上の利用者が歌唱する際に、客観的にみて最適な組合せとなるように各歌唱者の歌唱パートを決定することが可能な歌唱パート決定システムを提供することを目的とする。
【課題を解決するための手段】
【００１２】
本発明の歌唱パート決定システムは、上述した事情に鑑み提案されたもので、以下の特徴点を有している。すなわち、本発明の歌唱パート決定システムは、複数歌手により構成されたグループ歌手が原曲を歌唱しているカラオケ楽曲を、当該グループ歌手の構成人数以上の利用者で歌唱する際に、各利用者が歌唱すべき歌唱パートを決定する歌唱パート決定システムであって、類似度採点手段と、歌唱パート決定手段とを備えたことを特徴とするものである。
【００１３】
類似度採点手段は、各利用者の歌唱音声の音質及び歌唱特性の少なくとも一方と、原曲を歌唱しているグループ歌手の歌唱音声の音質及び歌唱特性の少なくとも一方との類似度を、原曲を歌唱している歌手毎に点数化して採点するための手段である。歌唱パート決定手段は、各利用者の類似度採点値に基づいて、各歌手の歌唱パートをいずれの利用者が歌唱すべきかを決定するための手段である。
【００１４】
上述した構成において、歌唱パート決定手段は、一つの歌唱パートに一人の利用者を割り当てる全ての組合せについて、各組合せに含まれる利用者の類似度採点値を合計し、全ての組合せの中から類似度採点値の合計値が最も高い組合せを選択して、各歌手の歌唱パートをいずれの利用者が歌唱すべきかを決定することが可能である。
【００１５】
上述した構成において、歌唱パート決定手段は、類似度採点値が高い順に、各歌手の歌唱パートを歌唱すべき利用者を決定し、次いで、当該決定した歌唱パート及び利用者を除いて、類似度採点値が高い順に、各歌手の歌唱パートをいずれの利用者が歌唱すべきかを順次決定することが可能である。
【００１６】
また、上述した構成に加えて、グループ歌手の集団毎に、グループ歌手を構成する各歌手の歌唱音声の音質及び歌唱特性の少なくとも一方を記憶した特性データベースを備えることが可能である。このような構成の場合、類似度採点手段は、特性データベースに基づいて、各利用者の歌唱音声の音質及び歌唱特性の少なくとも一方と、原曲を歌唱しているグループ歌手の歌唱音声の音質及び歌唱特性の少なくとも一方との類似度を、原曲を歌唱している歌手毎に点数化して採点する。
【００１７】
また、上述した構成に加えて、グループ歌手の集団毎に、グループ歌手を構成する各歌手の顔画像データを記憶した顔画像データベースと、各利用者の顔画像データを取得する顔画像データ取得手段とを備えることが可能である。このような構成の場合、類似度採点手段は、顔画像データベースに基づいて、取得した各利用者の顔画像データと、原曲を歌唱しているグループ歌手の顔画像データの類似度を比較して、各利用者の類似度採点値を採点する際に、顔画像の類似度に基づく重み付けを行う。
【発明の効果】
【００１８】
本発明の歌唱パート決定システムでは、原曲をグループ歌手が歌唱し、複数の歌唱パートを有するカラオケ楽曲を、複数の利用者で歌唱する際に、グループ歌手を構成する各歌手と各歌唱者について、歌唱音声の音質及び歌唱特性の少なくとも一方を比較して類似度採点値を求め、当該類似度採点値に基づいて、複数の利用者のうちの誰がどの歌唱パートを歌唱するのが最適であるかを決定することができる。
【００１９】
したがって、歌唱音声の音質や歌唱特性を考慮せずに各利用者の歌唱パートを決定する場合と比較して、原曲のグループ歌唱による歌唱に近いものとなり、カラオケ歌唱の楽しさを十分に堪能することができる。
【００２０】
また、各利用者の歌唱パートを決定する際に、原曲を歌唱しているグループ歌手の顔画像データと、各利用者の顔画像データの類似度を加味することにより、視覚的にも原曲のグループ歌唱による歌唱に近いものとなり、カラオケ歌唱の楽しさを、さらに一層堪能することができる。
【図面の簡単な説明】
【００２１】
【図１】本発明の実施形態に係る歌唱パート決定システムを適用したカラオケ装置の構成を示すブロック図。
【図２】本発明の実施形態に係る歌唱パート決定システムにおける歌唱パートの決定方法を示す説明図（実施例１）。
【図３】本発明の実施形態に係る歌唱パート決定システムにおける歌唱パートの決定方法を示す説明図（実施例２）。
【図４】本発明の実施形態に係る歌唱パート決定システムにおける歌唱パートの決定方法を示す説明図（実施例３）。
【発明を実施するための形態】
【００２２】
図面を参照して、本発明の歌唱パート決定システムの実施形態について説明する。図１〜図４は本発明の実施形態に係る歌唱パート決定システムに関するもので、図１は歌唱パート決定システムを適用したカラオケ装置の構成を示すブロック図、図２〜図４は歌唱パートの決定方法を示す説明図である。
【００２３】
＜歌唱パート決定システムの概要＞
本発明の実施形態に係る歌唱パート決定システム１０は、図１に示すように、カラオケ装置３０に適用するシステムであって、歌唱パート決定システム１０を構成するための主要な機能手段として、類似度採点手段４７と、歌唱パート決定手段４８とを備えている。また、歌唱パート決定システム１０の機能手段として、特性データベース６１と、顔画像データベース６２と、顔画像データ取得手段（ビデオカメラ３２及びビデオＩ／Ｆ５２）とを備えることが可能である。
【００２４】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２５】
＜カラオケ装置＞
本発明の実施形態に係る歌唱パート決定システム１０を適用するカラオケ装置３０は、図１に示すように、カラオケ本体３１、ビデオカメラ３２、スピーカ３３、マイクロホン３４、ミキシングアンプ３５、表示装置３６、カラオケリモコン装置３７を備えている。なお、詳細には図示しないが、本実施形態のカラオケ装置３０は、ルータ４０及び伝送路２０（専用電話回線、汎用回線、インターネット等）を介して、管理サーバ６０等にネットワーク接続されている。
【００２６】
＜管理サーバ＞
管理サーバ６０は、会員情報の管理、特性データベース６１の管理、顔画像データベース６２の管理、カラオケ装置３０に対する楽曲データの配信、録音録画データの公開等を行うためのサーバである。なお、図示しないが、管理サーバ６０は、サーバとしての機能を発揮するための電子機器であるＣＰＵ、ＲＯＭ、ＲＡＭ、その他の電子機器を備えている。また、単独の管理サーバ６０により、上述した複数の機能を実現するのではなく、各機能に特化したサーバを設け、各サーバにより各機能を実現してもよい。この際、仮想化技術により、１つのサーバに複数の機能を持たせることもできる。
【００２７】
＜特性データベース＞
特性データベース６１は、グループ歌手の集団毎に、グループ歌手を構成する各歌手の歌唱音声の音質及び歌唱特性の少なくとも一方を記憶したデータベースである。すなわち、グループ歌手が歌唱するカラオケ楽曲が存在する場合に、グループ歌手を構成する各歌手について、それぞれ歌唱音声の音質及び歌唱特性の少なくとも一方をデータ化して、特性データベース６１に記憶しておく。
【００２８】
特性データベース６１に記憶するデータは、各歌手のデータとして記憶してもよいし、特定のカラオケ楽曲毎に各歌手のデータとして記憶してもよい。例えば、グループ歌手が歌唱する楽曲であっても、楽曲毎に各歌手の歌唱方法が異なる場合があり、この場合には、カラオケ楽曲毎に各歌手のデータとして記憶することが好ましい。この特性データベース６１は、類似度採点手段４７において、各利用者の歌唱音声の音質及び歌唱特性の少なくとも一方と、原曲を歌唱しているグループ歌手の歌唱音声の音質及び歌唱特性の少なくとも一方との類似度採点値を算出する際に参照する。
【００２９】
＜顔画像データベース＞
顔画像データベース６２は、グループ歌手の集団毎に、グループ歌手を構成する各歌手の顔画像データを記憶したデータベースである。顔画像の認識方法に関する技術は、種々存在するが、例えば、顔画像を撮像し、撮像した顔画像に基づいて、顔の輪郭、目、鼻、口、耳、眉毛等の位置及び大きさ等に基づいて、各個人の顔の特徴をデータ化することができる。この顔画像データは、類似度採点手段４７において、各利用者と各原曲歌手との類似度採点値を算出する際に、重み付けとして用いられる。
【００３０】
＜カラオケリモコン装置＞
カラオケリモコン装置３７は、ユーザインタフェース機能を備えており、ルータ４０を介して、カラオケ本体３１のネットワーク送受信手段４１との間でデータの送受信を行うようになっている。このカラオケリモコン装置３７は、楽曲検索手段３７ａとして機能するプログラム、楽曲索引データベース３７ｂ、種々のデータを記憶するためのデータ記憶部３７ｃ、データの入出力を行うための入出力表示部３７ｄ等を備えている。このカラオケリモコン装置３７に付帯するスイッチ類や、入出力表示部３７ｄに表示される各種のアイコン等を操作することにより、選曲操作等が行われる。
【００３１】
また、カラオケ装置３０と、利用者が所持する携帯情報端末（例えば、スマートフォン）とをペアリングすることにより、相互にデータの送受信を可能とするとともに、携帯情報端末に選曲予約のためのアプリケーションソフトをインストールして、当該携帯情報端末に選曲予約機能を持たせることもできる。
【００３２】
＜楽曲検索手段／楽曲索引データベース＞
楽曲検索手段３７ａは、利用者の指示に基づき、楽曲索引データベース３７ｂを参照して楽曲を検索するためのプログラムからなる。楽曲索引データベース３７ｂは、カラオケ装置３０で演奏に供されるカラオケ楽曲について、その属性情報を記述したデータベースであり、例えば、楽曲番号・曲名・アーティスト名・歌い出し部分の歌詞・流行時期・音楽ジャンル区分・デュエット曲か否かなど、種々の属性情報がこれに含まれている。
【００３３】
＜ビデオカメラ＞
ビデオカメラ３２は、利用者の歌唱姿態等を撮影するための装置である。また、ビデオカメラ３２は、フォーカシング機能、ズーム機能、パン・チルト機能等を備えていてもよい。このビデオカメラ３２で撮影した利用者の映像信号は、ビデオＩ／Ｆ５２を介して、カラオケ本体３１に取り込まれ、顔画像データの類似判定に利用される。すなわち、本実施形態では、ビデオカメラ３２及びビデオＩ／Ｆ５２が、利用者の顔画像データを取得するための顔画像データ取得手段として機能する。また、歌唱者の歌唱姿態を撮影して、ＤＶＤ等の記憶媒体に記憶したり、ウェブサイト等で公開したりする機能を持たせてもよい。
【００３４】
＜マイクロホン＞
マイクロホン３４は、歌唱音声の入力を行うための装置である。マイクロホン３４から入力された歌唱音声信号は、ミキシングアンプ３５により、音楽再生制御手段４９から送出される演奏音声信号とミキシングされると共に増幅され、スピーカ３３へ出力される。
【００３５】
また、マイクロホン３４から入力された歌唱音声信号は、Ａ／Ｄコンバータ５０によりデジタル変換され、類似度採点手段４７における類似度採点に利用される。また、図示しないが、マイクロホン３４から入力され、Ａ／Ｄコンバータ５０によりデジタル変換された歌唱音声信号を用いて、所定のリファレンスデータとの比較を行うことにより、歌唱の巧拙を採点する歌唱採点を行ってもよい。さらに、本実施形態では、１本のマイクロホン３４を図示しているが、マイクロホン３４の数は２本以上であってもよく、特に、本実施形態のように複数の利用者により複数の歌唱パートを歌唱する際には、２本あるいは３本以上のマイクロホン３４を備えていることが好ましい。
【００３６】
＜表示装置＞
表示装置３６は、カラオケ楽曲に関連した背景映像や歌詞テロップ等を表示するための装置で、例えば、液晶ディスプレイ等により構成される。
【００３７】
＜カラオケ本体＞
カラオケ本体３１は、ネットワーク送受信手段４１、中央制御手段４２、ＲＯＭ４３、ＲＡＭ４４、ＨＤＤ４５、予約管理手段４６、類似度採点手段４７、歌唱パート決定手段４８、音楽再生制御手段４９、Ａ／Ｄコンバータ５０、映像再生制御手段５１、ビデオＩ／Ｆ５２、を備えている。
【００３８】
＜ネットワーク送受信手段＞
ネットワーク送受信手段４１は、ルータ４０を介して管理サーバ６０との間でデータの送受信を行うための電子回路及びプログラムからなる。また、カラオケ装置３０がルータ４０を介して店内ＬＡＮ接続されている場合には、ネットワーク送受信手段４１の機能により、店内ＬＡＮに接続された他のカラオケ装置３０やＰＯＳサーバ（図示せず）等の間で行われるデータの送受信も制御する。
【００３９】
さらに、ローカル送受信手段（図示せず）を設けて、カラオケ本体３１とカラオケリモコン装置３７との間で、赤外線通信等によるデータの送受信を行い、カラオケ本体３１とカラオケリモコン装置３７とのペアリング等を行ってもよい。
【００４０】
＜中央制御手段＞
中央制御手段４２は、カラオケ本体３１を総合的に制御するための手段であり、例えばＣＰＵ及びその周辺機器により構成されており、ＣＰＵ等がＲＯＭ４３等に記憶されたプログラムに従って動作することにより、制御機能を発揮することができるようになっている。
【００４１】
＜ＲＯＭ／ＲＡＭ＞
ＲＯＭ４３は、カラオケ本体３１を構成する各機器を制御するためのプログラムデータや数値データを記憶するための機器で、例えば半導体メモリ等で構成される。また、ＲＡＭ４４は、プログラムや各種データを一時的に記憶する一時記憶領域として機能するもので、例えば半導体メモリ等で構成される。
【００４２】
本実施形態では、ＲＡＭ４４に、予約待ち行列４４ａが記憶されるようになっている。なお、予約待ち行列４４ａは、選曲予約されたカラオケ楽曲について、演奏順に楽曲ＩＤを並べて構成されたデータテーブルであり、選曲予約者の利用者ＩＤ等、他の識別データが紐付けされている場合もある。
【００４３】
＜ＨＤＤ＞
ＨＤＤ４５は、大容量記憶装置として機能するもので、楽曲データベース４５ａ、映像データベース４５ｂが格納されている。なお、ＨＤＤ４５に替えて、あるいはＨＤＤ４５と共に、データを書き替え可能なＤＶＤ等の大容量記憶装置を用いてもよい。
【００４４】
＜楽曲データベース／映像データベース＞
楽曲データベース４５ａは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベース４５ｂは、演奏されるカラオケ楽曲に対応した背景映像を、当該カラオケ楽曲の楽曲ＩＤに対応させた映像ファイルとして所定数格納したデータベースである。
【００４５】
＜予約管理手段＞
予約管理手段４６は、任意の利用者が選曲予約する際に、当該選曲されたカラオケ楽曲の楽曲ＩＤを含む予約待ち行列４４ａを作成して管理するためのプログラムからなる。すなわち、予約管理手段４６は、利用者により楽曲検索手段３７ａの機能を用いて選曲された楽曲ＩＤを演奏順に並べて予約待ち行列４４ａを作成し、この予約待ち行列４４ａをＲＡＭ４４に格納して管理する。また、予約待ち行列４４ａに選曲者の利用者ＩＤを含める場合には、利用者ＩＤの取得が必要となる。
【００４６】
利用者ＩＤは、利用者ＩＤカードに記憶された利用者ＩＤをカードリーダにより読み取り、あるいは、カラオケリモコン装置３７の入出力表示部３７ｄを用いて入力された利用者ＩＤ及びパスワードに基づいて取得すればよい。さらに、利用者が携帯する携帯情報端末を用いて予約を行う機能を有する場合には、当該携帯情報端末の機器ＩＤに紐付けされた利用者ＩＤを取得してもよい。また、カラオケ装置３０を使用する際に、利用者に対して一時的に利用者ＩＤを付与してもよい。
【００４７】
＜類似度採点手段＞
類似度採点手段４７は、各利用者の歌唱音声の音質及び歌唱特性の少なくとも一方と、原曲を歌唱しているグループ歌手の歌唱音声の音質及び歌唱特性の少なくとも一方との類似度を、原曲を歌唱している歌手毎に点数化して採点するためのプログラムからなる。すなわち、各利用者及び各原曲歌手の歌唱音声の音質及び歌唱特性は、その音声信号データを分析することによりデータ化することができる。そして、各利用者の分析データと、各原曲歌手の分析データとを比較することにより、類似度採点値を求めることができる。
【００４８】
この場合、グループ歌手の集団毎に、グループ歌手を構成する各歌手の歌唱音声の音質及び歌唱特性の少なくとも一方を記憶した特性データベース６１を備えておき、類似度採点手段４７は、特性データベース６１に基づいて、各利用者の歌唱音声の音質及び歌唱特性の少なくとも一方と、原曲を歌唱しているグループ歌手の歌唱音声の音質及び歌唱特性の少なくとも一方との類似度を、原曲を歌唱している歌手毎に点数化して採点することができる。
【００４９】
さらに、グループ歌手の集団毎に、グループ歌手を構成する各歌手の顔画像データを記憶した顔画像データベース６２と、各利用者の顔画像データを取得する顔画像データ取得手段（ビデオカメラ３２及びビデオＩ／Ｆ５２）とを備えておき、類似度採点手段４７は、顔画像データベース６２に基づいて、取得した各利用者の顔画像データと、原曲を歌唱しているグループ歌手の顔画像データの類似度を比較して、各利用者の類似度採点値を採点する際に、前記顔画像の類似度に基づく重み付けを行うことができる（後に詳述する実施例３）。
【００５０】
また、類似度採点手段４７は、利用者の歌唱音声を録音した歌唱音声データに基づいて、類似度採点値を算出してもよい。すなわち、各利用者の歌唱音声を録音し、歌唱音声データとしてＲＡＭ４４やＨＤＤ４５に記憶し、あるいは、管理サーバ６０において各利用者の利用者データベース（図示せず）として管理する。そして、記憶している歌唱音声データを取得して、原曲を歌唱しているグループ歌手の歌唱音声の音質及び歌唱特性の少なくとも一方と比較することにより、類似度採点値を算出する。
【００５１】
また、類似度採点手段４７は、マイクロホン３４から入力された音声データに基づいて、類似度採点値を算出してもよい。すなわち、マイクロホン３４から各利用者の歌唱音声を入力させ、当該音声データと、原曲を歌唱しているグループ歌手の歌唱音声の音質及び歌唱特性の少なくとも一方と比較することにより、類似度採点値を算出する。
【００５２】
＜歌唱パート決定手段＞
歌唱パート決定手段４８は、各利用者の類似度採点値に基づいて、各歌手の歌唱パートをいずれの利用者が歌唱すべきかを決定するためのプログラムからなる。この場合、一つの歌唱パートに一人の利用者を割り当てる全ての組合せについて、各組合せに含まれる利用者の類似度採点値を合計し、全ての組合せの中から類似度採点値の合計値が最も高い組合せを選択して、各歌手の歌唱パートをいずれの利用者が歌唱すべきかを決定することができる（後に詳述する実施例１）。
【００５３】
また、歌唱パート決定手段４８は、類似度採点値が高い順に、各歌手の歌唱パートを歌唱すべき利用者を決定し、次いで、当該決定した歌唱パート及び利用者を除いて、類似度採点値が高い順に、各歌手の歌唱パートをいずれの利用者が歌唱すべきかを順次決定することができる（後に詳述する実施例２）。
【００５４】
歌唱パート決定手段４８は、利用者の人数がグループ歌手の構成人数よりも多い場合に、歌唱できない利用者を決定してもよい。このような構成とした場合には、例えば、類似度採点値が高い順に、各歌唱パートを歌唱すべき利用者を決定し、全ての歌唱パートについて利用者が決定した場合に、残りの利用者を歌唱できない利用者とすればよい。
【００５５】
歌唱パート決定手段４８は、利用者の人数がグループ歌手の構成人数よりも多い場合に、各利用者の類似度採点値に応じて、複数の利用者で一つの歌唱パートを歌唱するように決定してもよい。このような構成とした場合には、例えば、類似度採点値が高い順に、各歌唱パートを歌唱すべき利用者を決定するが、各歌唱パートについて、類似度採点値が近似する複数の利用者を一組として、各歌唱パートを歌唱する利用者とすればよい。
【００５６】
＜音楽再生制御手段＞
音楽再生制御手段４９は、楽曲ＩＤに基づいて演奏データから抽出された演奏制御データを用いて、音源データをデジタル再生すると共にアナログ変換してミキシングアンプ３５に出力するための電子回路である。上述したように、ミキシングアンプ３５は、マイクロホン３４から入力された歌唱者の歌唱音声信号と、音楽再生制御手段４９から送出される演奏音声信号とをミキシングすると共に、アンプ機能により増幅してスピーカ３３より出力するための装置である。
【００５７】
＜映像再生制御手段＞
映像再生制御手段５１は、カラオケ楽曲の演奏中に、映像データベース４５ｂから抽出した背景映像データと、演奏データに含まれる歌詞描出データに基づいて作成される歌詞文字とを、当該カラオケ楽曲の演奏データに同期させて表示装置３６に出力するためのプログラムからなる。
【００５８】
＜歌唱パートの決定（実施例１）＞
実施例１に係る歌唱パートの決定方法は、一つの歌唱パートに一人の利用者を割り当てる全ての組合せについて、各組合せに含まれる利用者の類似度採点値を合計し、全ての組合せの中から類似度採点値の合計値が最も高い組合せを選択して、各歌手の歌唱パートをいずれの利用者が歌唱すべきかを決定する方法である。
【００５９】
実施例１では、図２に示すように、類似度採点手段４７により採点された各利用者の各原曲歌手に対する類似度採点値を組合せて、どの組み合せにおいて最も類似度採点値の合計値が高いかを決定する。図２に示す例では、利用者Ａについて、原曲歌手との類似度採点値は、（ｘ）が８０点、（ｙ）が３０点、（ｚ）が６０点である。また、利用者Ｂについて、原曲歌手との類似度採点値は、（ｘ）が２０点、（ｙ）が０点、（ｚ）が５０点である。また、利用者Ｃについて、原曲歌手との類似度採点値は、（ｘ）が７０点、（ｙ）が０点、（ｚ）が４０点である（実施例２及び実施例３において同様）。
【００６０】
３人の利用者の中から３人の原曲歌手のパートを決定する場合であるから、その組合せは６通りとなる。したがって、６通りの組合せの中から最も類似度採点値の合計値が高い組合せを、最適の組合せとして決定すればよい。図２に示す例では、組合せ（４）が、類似度採点値の合計値が最も高いので、利用者Ａは原曲歌手（ｙ）の歌唱パートを歌唱し、利用者Ｂは原曲歌手（ｚ）の歌唱パートを歌唱し、利用者Ｃは原曲歌手（ｘ）の歌唱パートを歌唱すべきことになる。
【００６１】
なお、上述した実施例１では、説明を簡単なものとするため、３人の利用者の中から３人の原曲歌手のパートを決定する場合を示しているが、４人の利用者の中から３人の原曲歌手のパートを決定する場合には、その組合せは２４通りとなる。このように、本発明の歌唱パート決定システムは、グループ歌手の構成人数以上の利用者が存在する場合に、原曲歌手の歌唱パートを歌唱する利用者を決定するためのシステムであり、グループ歌手の構成人数以上の利用者が存在するという前提を満たしていれば、グループ歌手の構成人数及び利用者の人数は限定されない（他の実施例においても同様）。
【００６２】
＜歌唱パートの決定（実施例２）＞
実施例２に係る歌唱パートの決定方法は、類似度採点値が高い順に、各歌手の歌唱パートを歌唱すべき利用者を決定し、次いで、当該決定した歌唱パート及び利用者を除いて、類似度採点値が高い順に、各歌手の歌唱パートをいずれの利用者が歌唱すべきかを順次決定する方法である。なお、実施例２において、各利用者と原曲歌手との類似度採点値は、実施例１と同様である。
【００６３】
実施例２では、図３に示すように、類似度採点値は、高い順に、利用者Ａと原曲歌手（ｘ）の組合せ（８０点）、利用者Ｃと原曲歌手（ｘ）との組合せ（７０点）、利用者Ａと原曲歌手（ｚ）の組合せ（６０点）、利用者Ｂと原曲歌手（ｚ）の組合せ（５０点）、利用者Ｃと原曲歌手（ｚ）との組合せ（４０点）、利用者Ａと原曲歌手（ｙ）との組合せ（３０点）、利用者Ｂと原曲歌手（ｘ）との組合せ（２０点）、利用者Ｂと原曲歌手ｙ）との組合せ（０点）及び利用者Ｃと原曲歌手（ｙ）との組合せ（０点）である。
【００６４】
実施例２では、まず初めに、利用者Ａと原曲歌手（ｘ）の組合せ（８０点）が決定する。この場合、原曲歌手（ｘ）の歌唱パートを歌唱すべき利用者が既に決定しているため、類似度採点値が次点（７０点）である利用者Ｃは原曲歌手（ｘ）の歌唱パートを歌唱することはできない。また、利用者Ａの歌唱パートが既に決定しているため、利用者Ａは、類似度採点値が次点（６０点）であるが、原曲歌手（ｚ）の歌唱パートを歌唱することはできない。したがって、利用者Ｂと原曲歌手（ｚ）の組合せ（５０点）が決定する。ここで、残ったのは、利用者Ｃと原曲歌手（ｙ）との組合せ（０点）であり、この組合せが決定する。
【００６５】
このように、実施例２では、利用者Ａが原曲歌手（ｘ）の歌唱パートを歌唱し、利用者Ｂが原曲歌手（ｚ）の歌唱パートを歌唱し、利用者Ｃが原曲歌手（ｙ）の歌唱パートを歌唱すべきことになる。
【００６６】
＜歌唱パートの決定（実施例３）＞
実施例３に係る歌唱パートの決定方法は、各利用者の顔画像データと、原曲を歌唱しているグループ歌手の顔画像データの類似度を比較して、各利用者の類似度採点値を採点する際に、顔画像の類似度に基づく重み付けを行う方法である。
【００６７】
実施例３では、図４に示すように、各利用者の類似度採点値は、実施例１及び実施例２と同じである。さらに、実施例３では、各利用者と各原曲歌手との顔画像を比較してその類似度を重み付けに使用する。重み付けの方法は、どのような方法であってもよいが、実施例３では、類似度採点値の満点を１００点とし、顔画像採点値の満点を２０点として、類似度採点値に顔画像採点値を加算して、重み付けを行っている。
【００６８】
図４に示す例では、利用者Ａについて、原曲歌手との顔画像採点値は、（ｘ）が３点、（ｙ）が５点、（ｚ）が２点である。また、利用者Ｂについて、原曲歌手との顔画像採点値は、（ｘ）が５点、（ｙ）が２０点、（ｚ）が１点である。また、利用者Ｃについて、原曲歌手との顔画像採点値は、（ｘ）が２点、（ｙ）が４点、（ｚ）が１８点である。
【００６９】
実施例３では、図４に示すように、類似度採点手段４７により採点された各利用者の各原曲歌手に対する類似度採点値に対して、顔画像の類似度を示す顔画像採点値により重み付けを行って、各利用者と各原曲歌手との組合せを作成する。そして、どの組み合せにおいて最も顔画像採点値により重み付けが行われた類似度採点値の合計値が高いかを決定する。図３に示す例では、利用者Ａについて、顔画像採点値で重み付けを行った原曲歌手との類似度採点値は、（ｘ）が８３点、（ｙ）が３５点、（ｚ）が６２点である。また、利用者Ｂについて、顔画像採点値で重み付けを行った原曲歌手との類似度採点値は、（ｘ）が２５点、（ｙ）が２０点、（ｚ）が５１点である。また、利用者Ｃについて、顔画像採点値で重み付けを行った原曲歌手との類似度採点値は、（ｘ）が７２点、（ｙ）が４点、（ｚ）が５８点である。
【００７０】
３人の利用者の中から３人の原曲歌手のパートを決定する場合であるから、その組合せは６通りとなる。したがって、６通りの組合せの中から、顔画像採点値で重み付けを行った類似度採点値の合計値が最も高い組合せを、最適の組合せとして決定すればよい。図４に示す例では、組合せ（１）が、顔画像採点値で重み付けを行った類似度採点値の合計値が最も高いので、利用者Ａは原曲歌手（ｘ）の歌唱パートを歌唱し、利用者Ｂは原曲歌手（ｙ）の歌唱パートを歌唱し、利用者Ｃは原曲歌手（ｚ）の歌唱パートを歌唱すべきことになる。
【００７１】
なお、カラオケ楽曲の中にはリードボーカルの歌手が存在するものがある。このようなカラオケ楽曲の場合には、リードボーカルの原曲歌手の歌唱パートを決定する際に、当該リードボーカルの原曲歌手に対する類似度採点値に対して重み付けを行い、他の原曲歌手に対する類似度採点値よりも採点比率を高めて（例えば１．５倍として）、利用者の歌唱パートを決定してもよい。
【００７２】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００７３】
また、一台のカラオケ装置３０においてグループ歌唱を行うのではなく、伝送路２０で接続された複数のカラオケ装置３０において、互いに歌唱音声信号等を送受信してネット歌唱を行う場合にも、本発明の歌唱パート決定システム１０を適用することができる。
【符号の説明】
【００７４】
１０  歌唱パート決定システム
２０  伝送路（インターネット等）
３０  カラオケ装置
３１  カラオケ本体
３２  ビデオカメラ
３３  スピーカ
３４  マイクロホン
３５  ミキシングアンプ
３６  表示装置
３７  カラオケリモコン装置
３７ａ  楽曲検索手段
３７ｂ  楽曲索引データベース
３７ｃ  データ記憶部
３７ｄ  入出力表示部
４０  ルータ
４１  ネットワーク送受信手段
４２  中央制御手段
４３  ＲＯＭ
４４  ＲＡＭ
４４ａ  予約待ち行列
４５  ＨＤＤ
４５ａ  楽曲データベース
４５ｂ  映像データベース
４６  予約管理手段
４７  類似度採点手段
４８  歌唱パート決定手段
４９  音楽再生制御手段
５０  Ａ／Ｄコンバータ
５１  映像再生制御手段
５２  ビデオＩ／Ｆ
６０  管理サーバ
６１  特性データベース
６２  顔画像データベース
【図１】
2015045671.tif 000003
【図２】
2015045671.tif 000004
【図３】
2015045671.tif 000005
【図４】
2015045671.tif 000006